【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
１つまたは複数のＩＥＥＥ８０２．１１規格に準拠するワイヤレスデバイスに周波数ホッピングデバイスとしての資格を与えるための方法であって、
周波数ホッピングデバイスに課される適用可能な電力スペクトル密度限界に準拠する、前記ワイヤレスデバイスに対して一意の周波数ホッピングパターンを決定することと、
前記一意の周波数ホッピングパターンに基づいて前記ワイヤレスデバイスにリソースユニットの一意のシーケンスを割り振ることと、前記一意のシーケンスの前記リソースユニットの各々が周波数サブキャリアの異なるセットを含む、
リソースユニットの前記一意のシーケンスを前記ワイヤレスデバイスに割り振り、および前記一意の周波数ホッピングパターンに基づいて前記一意のシーケンスの前記リソースユニットにわたって連続的に周波数ホッピングするように前記ワイヤレスデバイスに命令するトリガフレームを前記ワイヤレスデバイスに送信することと、ここにおいて、前記一意の周波数ホッピングパターンが、前記トリガフレームの共通情報フィールドまたは前記トリガフレームに付加される情報要素（ＩＥ）のうちの少なくとも１つに含まれる、
前記ワイヤレスデバイスから、シーケンス期間中に、リソースユニットの前記一意のシーケンス上での一連のアップリンク直交周波数分割多元接続（ＯＦＤＭＡ）送信を受信することと、ここにおいて、前記一意のシーケンスの前記リソースユニットの各々が、一連の送信機会（ＴＸＯＰ）のうちの対応するＴＸＯＰに関連付けられ、前記ＴＸＯＰのうちのそれぞれのＴＸＯＰに関連付けられた前記リソースユニットが、前記それぞれのＴＸＯＰ中に別のワイヤレスデバイスに割り振られない、
を備える、方法。
【請求項２】
前記トリガフレームが、前記ワイヤレスデバイスに、少なくとも前記シーケンス期間の間、前記一意のシーケンスの前記リソースユニットにわたって周波数ホッピングするように命令する、請求項１に記載の方法。
【請求項３】
前記トリガフレームは、前記ワイヤレスデバイスが、持続時間未満の間、前記一意のシーケンスの前記リソースユニットの各々上に滞留するべきであるという指示と、前記一意のシーケンスの前記リソースユニットの各々における累積滞留時間が、リソースユニットの前記一意のシーケンスの持続時間よりも大きい時間期間以下であるべきであるという指示とのうちの１つを含んでいる、請求項１に記載の方法。
【請求項４】
前記滞留時間が４００ミリ秒であり、前記時間期間が１５ミリ秒であり、前記一意のシーケンスが少なくとも１５個の異なるリソースユニットを含む、請求項３に記載の方法。
【請求項５】
前記トリガフレームが、ＯＦＤＭＡ通信を使用してアップリンクデータをコンカレントに送信するために、複数のワイヤレスデバイスのための一意の周波数ホッピングパターンを示す周波数ホッピングスケジュールを含んでいる、請求項１に記載の方法。
【請求項６】
前記割り振ることが、
複数のリソースユニットの各々に、０に初期化されたカウント値を割り当てることと、
第１のリソースユニットに割り当てられた前記カウント値が０に等しい場合、第１の送信機会（ＴＸＯＰ）のために前記ワイヤレスデバイスに前記複数のリソースユニットのうちの前記第１のリソースユニットを割り振ることと、
前記第１のリソースユニットに割り当てられた前記カウント値を、前記ワイヤレスデバイスへのそれの割振り後に、最大値にリセットすることと、ここにおいて、前記最大値が、２より大きい整数である、
いくつかの後続のＴＸＯＰの各々のために、前記第１のリソースユニットに割り当てられた前記カウント値を１だけ減分することと、
その割り当てられたカウント値が０に等しくなるまで、前記ワイヤレスデバイスに前記第１のリソースユニットを割り振ることを控えることと
を備える、請求項１に記載の方法。
【請求項７】
前記カウント値の前記最大値が、前記ワイヤレスデバイスに周波数ホッピングデバイスとしての資格を与えることに関連付けられた連続周波数ホップの数に基づく、請求項６に記載の方法。
【請求項８】
アクセスポイント（ＡＰ）であって、
１つまたは複数のプロセッサと、
命令を記憶するメモリと
を備え、前記命令は、前記１つまたは複数のプロセッサによって実行されたとき、前記ＡＰに、
周波数ホッピングデバイスに課される適用可能な電力スペクトル密度限界に準拠する、ワイヤレスデバイスに対して一意の周波数ホッピングパターンを決定することと、
前記一意の周波数ホッピングパターンに基づいて前記ワイヤレスデバイスにリソースユニットの一意のシーケンスを割り振ることと、前記一意のシーケンスの前記リソースユニットの各々が周波数サブキャリアの異なるセットを含む、
リソースユニットの前記一意のシーケンスを前記ワイヤレスデバイスに割り振り、および前記一意の周波数ホッピングパターンに基づいて前記一意のシーケンスの前記リソースユニットにわたって連続的に周波数ホッピングするように前記ワイヤレスデバイスに命令するトリガフレームを前記ワイヤレスデバイスに送信することと、ここにおいて、前記一意の周波数ホッピングパターンが、前記トリガフレームの共通情報フィールドまたは前記トリガフレームに付加される情報要素（ＩＥ）のうちの少なくとも１つに含まれる、
前記ワイヤレスデバイスから、シーケンス期間中に、リソースユニットの前記一意のシーケンス上での一連のアップリンク直交周波数分割多元接続（ＯＦＤＭＡ）送信を受信することと、ここにおいて、前記一意のシーケンスの前記リソースユニットの各々が、一連の送信機会（ＴＸＯＰ）のうちの対応するＴＸＯＰに関連付けられ、前記ＴＸＯＰのうちのそれぞれのＴＸＯＰに関連付けられた前記リソースユニットが、前記それぞれのＴＸＯＰ中に別のワイヤレスデバイスに割り振られない、
によって、１つまたは複数のＩＥＥＥ８０２．１１規格に準拠する前記ワイヤレスデバイスに周波数ホッピングデバイスとしての資格を与えることを行わせる、
ＡＰ。
【請求項９】
前記トリガフレームが、前記ワイヤレスデバイスに、少なくとも前記シーケンス期間の間、前記一意のシーケンスの前記リソースユニットにわたって周波数ホッピングするように命令する、請求項８に記載のＡＰ。
【請求項１０】
前記トリガフレームは、前記ワイヤレスデバイスが、持続時間未満の間、前記一意のシーケンスの前記リソースユニットの各々上に滞留するべきであるという指示と、前記一意のシーケンスの前記リソースユニットの各々における累積滞留時間が、リソースユニットの前記一意のシーケンスの持続時間よりも大きい時間期間以下であるべきであるという指示とのうちの１つを含んでいる、請求項８に記載のＡＰ。
【請求項１１】
前記滞留時間が４００ミリ秒であり、前記時間期間が１５ミリ秒であり、前記一意のシーケンスが少なくとも１５個の異なるリソースユニットを含む、請求項１０に記載のＡＰ。
【請求項１２】
前記トリガフレームが、ＯＦＤＭＡ通信を使用してアップリンクデータをコンカレントに送信するために、複数のワイヤレスデバイスのための一意の周波数ホッピングパターンを示す周波数ホッピングスケジュールを含んでいる、請求項８に記載のＡＰ。
【請求項１３】
一意のリソースユニットの前記シーケンスを割り振るための前記命令の実行が、前記ＡＰに、
複数のリソースユニットの各々に、０に初期化されたカウント値を割り当てることと、
第１のリソースユニットに割り当てられた前記カウント値が０に等しい場合、第１の送信機会（ＴＸＯＰ）のために前記ワイヤレスデバイスに前記複数のリソースユニットのうちの前記第１のリソースユニットを割り振ることと、
前記第１のリソースユニットに割り当てられた前記カウント値を、前記ワイヤレスデバイスへのそれの割振り後に、最大値にリセットすることと、ここにおいて、前記最大値が、２より大きい整数である、
いくつかの後続のＴＸＯＰの各々のために、前記第１のリソースユニットに割り当てられた前記カウント値を１だけ減分することと、
その割り当てられたカウント値が０に等しくなるまで、前記ワイヤレスデバイスに前記第１のリソースユニットを割り振ることを控えることと
を行わせる、請求項８に記載のＡＰ。
【請求項１４】
命令を備える非一時的コンピュータ可読媒体であって、前記命令が、アクセスポイント（ＡＰ）の１つまたは複数のプロセッサによって実行されたとき、前記ＡＰに、
周波数ホッピングデバイスに課される適用可能な電力スペクトル密度限界に準拠する、ワイヤレスデバイスに対して一意の周波数ホッピングパターンを決定することと、
前記一意の周波数ホッピングパターンに基づいて前記ワイヤレスデバイスにリソースユニットの一意のシーケンスを割り振ることと、前記一意のシーケンスの前記リソースユニットの各々が周波数サブキャリアの異なるセットを含む、
リソースユニットの前記一意のシーケンスを前記ワイヤレスデバイスに割り振り、および前記一意の周波数ホッピングパターンに基づいて前記一意のシーケンスの前記リソースユニットにわたって連続的に周波数ホッピングするように前記ワイヤレスデバイスに命令するトリガフレームを前記ワイヤレスデバイスに送信することと、ここにおいて、前記一意の周波数ホッピングパターンが、前記トリガフレームの共通情報フィールドまたは前記トリガフレームに付加される情報要素（ＩＥ）のうちの少なくとも１つに含まれる、
前記ワイヤレスデバイスから、シーケンス期間中に、リソースユニットの前記一意のシーケンス上での一連のアップリンク直交周波数分割多元接続（ＯＦＤＭＡ）送信を受信することと、ここにおいて、前記一意のシーケンスの前記リソースユニットの各々が、一連の送信機会（ＴＸＯＰ）のうちの対応するＴＸＯＰに関連付けられ、前記ＴＸＯＰのうちのそれぞれのＴＸＯＰに関連付けられた前記リソースユニットが、前記それぞれのＴＸＯＰ中に別のワイヤレスデバイスに割り振られない、
を備える動作を実施することによって、１つまたは複数のＩＥＥＥ８０２．１１規格に準拠する前記ワイヤレスデバイスに周波数ホッピングデバイスとしての資格を与えさせる、非一時的コンピュータ可読媒体。
【請求項１５】
前記トリガフレームが、前記ワイヤレスデバイスに、少なくとも前記シーケンス期間の間、前記一意のシーケンスの前記リソースユニットにわたって周波数ホッピングするように命令する、請求項１４に記載の非一時的コンピュータ可読媒体。
【請求項１６】
前記トリガフレームは、前記ワイヤレスデバイスが、持続時間未満の間、前記一意のシーケンスの前記リソースユニットの各々上に滞留するべきであるという指示と、前記一意のシーケンスの前記リソースユニットの各々における累積滞留時間が、リソースユニットの前記一意のシーケンスの持続時間よりも大きい時間期間以下であるべきであるという指示とのうちの１つを含んでいる、請求項１４に記載の非一時的コンピュータ可読媒体。
【請求項１７】
前記滞留時間が４００ミリ秒であり、前記時間期間が１５ミリ秒であり、前記一意のシーケンスが少なくとも１５個の異なるリソースユニットを含む、請求項１６に記載の非一時的コンピュータ可読媒体。
【請求項１８】
前記トリガフレームが、ＯＦＤＭＡ通信を使用してアップリンクデータをコンカレントに送信するために、複数のワイヤレスデバイスのための一意の周波数ホッピングパターンを示す周波数ホッピングスケジュールを含んでいる、請求項１４に記載の非一時的コンピュータ可読媒体。
【請求項１９】
一意のリソースユニットの前記シーケンスを割り振るための前記命令の実行が、前記ＡＰに、
複数のリソースユニットの各々に、０に初期化されたカウント値を割り当てることと、
第１のリソースユニットに割り当てられた前記カウント値が０に等しい場合、第１の送信機会（ＴＸＯＰ）のために前記ワイヤレスデバイスに前記複数のリソースユニットのうちの前記第１のリソースユニットを割り振ることと、
前記第１のリソースユニットに割り当てられた前記カウント値を、前記ワイヤレスデバイスへのそれの割振り後に、最大値にリセットすることと、ここにおいて、前記最大値が、２より大きい整数である、
いくつかの後続のＴＸＯＰの各々のために、前記第１のリソースユニットに割り当てられた前記カウント値を１だけ減分することと、
その割り当てられたカウント値が０に等しくなるまで、前記ワイヤレスデバイスに前記第１のリソースユニットを割り振ることを控えることと
をさらに備える動作を実施させる、請求項１４に記載の非一時的コンピュータ可読媒体。
【請求項２０】
１つまたは複数のＩＥＥＥ８０２．１１規格に準拠するワイヤレス局であって、前記ワイヤレス局が、
１つまたは複数のプロセッサと、
命令を記憶するメモリと
を備え、前記命令は、前記１つまたは複数のプロセッサによって実行されたとき、前記ワイヤレス局に、
周波数ホッピングデバイスに課される適用可能な電力スペクトル密度限界に準拠する、前記ワイヤレス局に対して一意の周波数ホッピングパターンを受信することと、
前記一意の周波数ホッピングパターンに基づいてリソースユニットの一意のシーケンスの割振りを受信することと、前記一意のシーケンスの前記リソースユニットの各々が周波数サブキャリアの異なるセットを含む、
リソースユニットの前記一意のシーケンスを前記ワイヤレス局に割り振り、および前記一意の周波数ホッピングパターンに基づいて前記一意のシーケンスの前記リソースユニットにわたって連続的に周波数ホッピングするように前記ワイヤレス局に命令するトリガフレームを受信することと、ここにおいて、前記一意の周波数ホッピングパターンが、前記トリガフレームの共通情報フィールドまたは前記トリガフレームに付加される情報要素（ＩＥ）のうちの少なくとも１つに含まれる、
シーケンス期間中に、リソースユニットの前記一意のシーケンス上での一連の直交周波数分割多元接続（ＯＦＤＭＡ）データ送信を送信することと、ここにおいて、前記一意のシーケンスの前記リソースユニットの各々が、一連の送信機会（ＴＸＯＰ）のうちの対応するＴＸＯＰに関連付けられ、前記ＴＸＯＰのうちのそれぞれのＴＸＯＰに関連付けられた前記リソースユニットが、前記それぞれのＴＸＯＰ中に別のワイヤレスデバイスに割り振られない、
によって、周波数ホッピングデバイスとしての資格を得ることを行わせる、
ワイヤレス局。
【請求項２１】
前記トリガフレームは、前記ワイヤレス局が、持続時間未満の間、前記一意のシーケンスの前記リソースユニットの各々上に滞留するべきであるという指示と、前記一意のシーケンスの前記リソースユニットの各々における累積滞留時間が、リソースユニットの前記一意のシーケンスの持続時間よりも大きい時間期間以下であるべきであるという指示とのうちの１つを含んでいる、請求項２０に記載のワイヤレス局。
【請求項２２】
前記滞留時間が４００ミリ秒であり、前記時間期間が１５ミリ秒であり、前記一意のシーケンスが少なくとも１５個の異なるリソースユニットを含む、請求項２１に記載のワイヤレス局。
【請求項２３】
前記トリガフレームが、ＯＦＤＭＡ通信を使用してアップリンクデータをコンカレントに送信するために、複数のワイヤレスデバイスのための一意の周波数ホッピングパターンを示す周波数ホッピングスケジュールを含んでいる、請求項２０に記載のワイヤレス局。
【手続補正２】
【補正対象書類名】明細書
【補正対象項目名】０１１７
【補正方法】変更
【補正の内容】
【０１１７】
[00124]本開示で説明された実装形態への様々な修正は当業者には容易に明らかであり得、本明細書で定義された一般原理は、本開示の趣旨または範囲から逸脱することなく他の実装形態に適用され得る。したがって、特許請求の範囲は、本明細書で示された実装形態に限定されるものではなく、本開示と、本明細書で開示された原理および新規の特徴とに一致する、最も広い範囲を与られるべきである。
以下に本願の出願当初の特許請求の範囲に記載された発明を付記する。
［Ｃ１］
ワイヤレスデバイスに周波数ホッピングデバイスとしての資格を与えるための方法であって、
前記ワイヤレスデバイスのための周波数ホッピングパターンを決定することと、
前記周波数ホッピングパターンに基づいて前記ワイヤレスデバイスに一意のリソースユニットのシーケンスを割り振ることと、前記一意のリソースユニットの各々が周波数サブキャリアの異なるセットを含む、
前記ワイヤレスデバイスから、シーケンス期間中に、一意のリソースユニットの前記割り振られたシーケンス上での一連のアップリンク直交周波数分割多元接続（ＯＦＤＭＡ）送信を受信することと
を備える、方法。
［Ｃ２］
前記割り振ることが、前記ワイヤレスデバイスに、少なくとも前記シーケンス期間の間、前記一意のリソースユニット間で周波数ホッピングさせる、Ｃ１に記載の方法。
［Ｃ３］
前記一意のリソースユニットの各々が、一連の送信機会（ＴＸＯＰ）のうちの対応する１つに関連付けられる、Ｃ１に記載の方法。
［Ｃ４］
前記ワイヤレスデバイスに、前記ワイヤレスデバイスに一意のリソースユニットの前記シーケンスを割り振り、前記ワイヤレスデバイスが、指定された数を超える数の前記一意のリソースユニット間で連続的に周波数ホッピングするべきであることを示す、トリガフレームを送信すること
をさらに備える、Ｃ１に記載の方法。
［Ｃ５］
前記トリガフレームは、前記ワイヤレスデバイスが、持続時間未満の間、前記一意のリソースユニットの各々上に滞留するべきであるという指示と、前記一意のリソースユニットにおける累積滞留時間が、一意のリソースユニットの前記シーケンスの持続時間よりも大きい時間期間以下であるべきであるという指示とのうちの１つを含んでいる、Ｃ４に記載の方法。
［Ｃ６］
前記滞留時間が４００ミリ秒であり、前記時間期間が１５ミリ秒であり、前記シーケンスが少なくとも１５個の一意のリソースユニットを含む、Ｃ５に記載の方法。
［Ｃ７］
前記トリガフレームが、ＯＦＤＭＡ通信を使用してアップリンクデータを送信するために、複数のワイヤレスデバイスの各々のための一意の周波数ホッピングパターンを示す周波数ホッピングスケジュールを含んでいる、Ｃ４に記載の方法。
［Ｃ８］
前記割り振ることが、
複数のリソースユニットの各々に、０に等しいカウント値を割り当てることと、
第１の送信機会（ＴＸＯＰ）のために前記ワイヤレスデバイスに前記複数のリソースユニットのうちの第１のリソースユニットを割り振ることと、
前記第１のリソースユニットの前記カウント値を、前記ワイヤレスデバイスへのそれの割振りに基づいて、最大値にリセットすることと、
次のＴＸＯＰ中に前記第１のリソースユニットの前記カウント値を１だけ減分することと
を備える、Ｃ１に記載の方法。
［Ｃ９］
前記カウント値の前記最大値が、前記ワイヤレスデバイスに周波数ホッピングデバイスとしての資格を与えることに関連付けられた連続周波数ホップの数に基づく、Ｃ８に記載の方法。
［Ｃ１０］
アクセスポイント（ＡＰ）であって、
１つまたは複数のプロセッサと、
命令を記憶するメモリと
を備え、前記命令は、前記１つまたは複数のプロセッサによって実行されたとき、前記ＡＰに、
ワイヤレスデバイスのための周波数ホッピングパターンを決定することと、
前記周波数ホッピングパターンに基づいて前記ワイヤレスデバイスに一意のリソースユニットのシーケンスを割り振ることと、前記一意のリソースユニットの各々が周波数サブキャリアの異なるセットを含む、
前記ワイヤレスデバイスから、シーケンス期間中に、一意のリソースユニットの前記割り振られたシーケンス上での一連のアップリンク直交周波数分割多元接続（ＯＦＤＭＡ）送信を受信することと
によって、前記ワイヤレスデバイスに周波数ホッピングデバイスとしての資格を与えることを行わせる、
ＡＰ。
［Ｃ１１］
前記割り振ることが、前記ワイヤレスデバイスに、少なくとも前記シーケンス期間の間、前記一意のリソースユニット間で周波数ホッピングさせる、Ｃ１０に記載のＡＰ。
［Ｃ１２］
前記一意のリソースユニットの各々が、一連の送信機会（ＴＸＯＰ）のうちの対応する１つに関連付けられる、Ｃ１０に記載のＡＰ。
［Ｃ１３］
前記命令の実行は、前記ＡＰに、
前記ワイヤレスデバイスに、前記ワイヤレスデバイスに一意のリソースユニットの前記シーケンスを割り振り、前記ワイヤレスデバイスが、指定された数を超える数の前記一意のリソースユニット間で連続的に周波数ホッピングするべきであることを示す、トリガフレームを送信すること
をさらに行わせる、Ｃ１０に記載のＡＰ。
［Ｃ１４］
前記トリガフレームは、前記ワイヤレスデバイスが、持続時間未満の間、前記一意のリソースユニットの各々上に滞留するべきであるという指示と、前記一意のリソースユニットにおける累積滞留時間が、一意のリソースユニットの前記シーケンスの持続時間よりも大きい時間期間以下であるべきであるという指示とのうちの１つを含んでいる、Ｃ１３に記載のＡＰ。
［Ｃ１５］
前記滞留時間が４００ミリ秒であり、前記時間期間が１５ミリ秒であり、前記シーケンスが少なくとも１５個の一意のリソースユニットを含む、Ｃ１４に記載のＡＰ。
［Ｃ１６］
前記トリガフレームが、ＯＦＤＭＡ通信を使用してアップリンクデータを送信するために、複数のワイヤレスデバイスの各々のための一意の周波数ホッピングパターンを示す周波数ホッピングスケジュールを含んでいる、Ｃ１３に記載のＡＰ。
［Ｃ１７］
一意のリソースユニットの前記シーケンスを割り振るための前記命令の実行が、前記ＡＰに、
複数のリソースユニットの各々に、０に等しいカウント値を割り当てることと、
第１の送信機会（ＴＸＯＰ）のために前記ワイヤレスデバイスに前記複数のリソースユニットのうちの第１のリソースユニットを割り振ることと、
前記第１のリソースユニットの前記カウント値を、前記ワイヤレスデバイスへのそれの割振りに基づいて、最大値にリセットすることと、
次のＴＸＯＰ中に前記第１のリソースユニットの前記カウント値を１だけ減分することと
を行わせる、Ｃ１０に記載のＡＰ。
［Ｃ１８］
命令を備える非一時的コンピュータ可読媒体であって、前記命令が、アクセスポイント（ＡＰ）の１つまたは複数のプロセッサによって実行されたとき、前記ＡＰに、
ワイヤレスデバイスのための周波数ホッピングパターンを決定することと、
前記周波数ホッピングパターンに基づいて前記ワイヤレスデバイスに一意のリソースユニットのシーケンスを割り振ることと、前記一意のリソースユニットの各々が周波数サブキャリアの異なるセットを含む、
前記ワイヤレスデバイスから、シーケンス期間中に、一意のリソースユニットの前記割り振られたシーケンス上での一連のアップリンク直交周波数分割多元接続（ＯＦＤＭＡ）送信を受信することと
を備える動作を実施させる、非一時的コンピュータ可読媒体。
［Ｃ１９］
前記割り振ることが、前記ワイヤレスデバイスに、少なくとも前記シーケンス期間の間、前記一意のリソースユニット間で周波数ホッピングさせる、Ｃ１８に記載の非一時的コンピュータ可読媒体。
［Ｃ２０］
前記命令の実行は、前記ＡＰに、
前記ワイヤレスデバイスに、前記ワイヤレスデバイスに一意のリソースユニットの前記シーケンスを割り振り、前記ワイヤレスデバイスが、指定された数を超える数の前記一意のリソースユニット間で連続的に周波数ホッピングするべきであることを示す、トリガフレームを送信すること
をさらに備える動作を実施させる、Ｃ１８に記載の非一時的コンピュータ可読媒体。
［Ｃ２１］
前記トリガフレームは、前記ワイヤレスデバイスが、持続時間未満の間、前記一意のリソースユニットの各々上に滞留するべきであるという指示と、前記一意のリソースユニットにおける累積滞留時間が、一意のリソースユニットの前記シーケンスの持続時間よりも大きい時間期間以下であるべきであるという指示とのうちの１つを含んでいる、Ｃ２０に記載の非一時的コンピュータ可読媒体。
［Ｃ２２］
前記滞留時間が４００ミリ秒であり、前記時間期間が１５ミリ秒であり、前記シーケンスが少なくとも１５個の一意のリソースユニットを含む、Ｃ２１に記載の非一時的コンピュータ可読媒体。
［Ｃ２３］
前記トリガフレームが、ＯＦＤＭＡ通信を使用してアップリンクデータを送信するために、複数のワイヤレスデバイスの各々のための一意の周波数ホッピングパターンを示す周波数ホッピングスケジュールを含んでいる、Ｃ２０に記載の非一時的コンピュータ可読媒体。
［Ｃ２４］
一意のリソースユニットの前記シーケンスを割り振るための前記命令の実行が、前記ＡＰに、
複数のリソースユニットの各々に、０に等しいカウント値を割り当てることと、
第１の送信機会（ＴＸＯＰ）のために前記ワイヤレスデバイスに前記複数のリソースユニットのうちの第１のリソースユニットを割り振ることと、
前記第１のリソースユニットの前記カウント値を、前記ワイヤレスデバイスへのそれの割振りに基づいて、最大値にリセットすることと、
次のＴＸＯＰ中に前記第１のリソースユニットの前記カウント値を１だけ減分することと
をさらに備える動作を実施させる、Ｃ１８に記載の非一時的コンピュータ可読媒体。
［Ｃ２５］
ワイヤレス局であって、
１つまたは複数のプロセッサと、
命令を記憶するメモリと
を備え、前記命令は、前記１つまたは複数のプロセッサによって実行されたとき、前記ワイヤレス局に、
周波数ホッピングパターンを受信することと、
前記周波数ホッピングパターンに基づいて一意のリソースユニットのシーケンスの割振りを受信することと、前記一意のリソースユニットの各々が周波数サブキャリアの異なるセットを含む、
シーケンス期間中に、一意のリソースユニットの前記割り振られたシーケンス上での一連の直交周波数分割多元接続（ＯＦＤＭＡ）データ送信を送信することと
によって、周波数ホッピングデバイスとしての資格を得ることを行わせる、
ワイヤレス局。
［Ｃ２６］
前記命令の実行が、前記ワイヤレス局に、
前記ワイヤレス局に一意のリソースユニットの前記シーケンスを割り振り、前記ワイヤレス局が、指定された数を超える数の前記一意のリソースユニット間で連続的に周波数ホッピングするべきであることを示す、トリガフレームを受信すること
をさらに行わせる、Ｃ２５に記載のワイヤレス局。
［Ｃ２７］
前記トリガフレームは、前記ワイヤレス局が、持続時間未満の間、前記一意のリソースユニットの各々上に滞留するべきであるという指示と、前記一意のリソースユニットにおける累積滞留時間が、一意のリソースユニットの前記シーケンスの持続時間よりも大きい時間期間以下であるべきであるという指示とのうちの１つを含んでいる、Ｃ２６に記載のワイヤレス局。
［Ｃ２８］
前記滞留時間が４００ミリ秒であり、前記時間期間が１５ミリ秒であり、前記シーケンスが少なくとも１５個の一意のリソースユニットを含む、Ｃ２７に記載のワイヤレス局。
［Ｃ２９］
前記トリガフレームが、ＯＦＤＭＡ通信を使用してアップリンクデータを送信するために、複数のワイヤレスデバイスの各々のための一意の周波数ホッピングパターンを示す周波数ホッピングスケジュールを含んでいる、Ｃ２６に記載のワイヤレス局。
［Ｃ３０］
前記一意のリソースユニットの各々が、一連の送信機会（ＴＸＯＰ）のうちの対応する１つに関連付けられる、Ｃ２５に記載のワイヤレス局。